(57)【要約】【課題】自動接続を設定している場合であっても、セキュリティの低いアクセスポイントを除外して無線通信を行うことが可能な携帯無線端末を提供する。【解決手段】登録されたアクセスポイント毎に自動接続の可／不可の設定を行い、この設定情報を記憶部１３へ記憶する。そして、制御部１２は、記憶部１３に記憶された設定情報を参照して、自動接続「可」と設定されたアクセスポイントのみについて自動的に検索を行う。【選択図】      図２
2011166600.tif 000002
【特許請求の範囲】
【請求項１】
複数のアクセスポイントと接続可能な携帯無線端末において、
前記複数のアクセスポイントのうちいずれかのアクセスポイントに対する登録指示と、前記登録されたアクセスポイントと自動的に通信接続することを許可するか否かを前記アクセスポイント毎に設定する設定指示とを受信する指示受信部と、
前記登録指示があったアクセスポイントに関する個別情報と、前記設定指示により設定された前記アクセスポイント毎の許可／不許可に関する設定情報とを記憶する記憶部と、
前記個別情報及び前記設定情報を参照し、前記登録されたアクセスポイントのうち前記自動接続が許可された自動接続アクセスポイントを定期的に検索するように検索指示を生成する通信制御部と、
前記検索指示に応じて前記自動接続アクセスポイントを検索する無線通信部と
を具備することを特徴とする携帯無線端末。
【請求項２】
前記通信制御部は、前記登録されたアクセスポイントのセキュリティの高さを、少なくとも前記登録されたアクセスポイントにおける暗号化機能の有無により判断し、
前記携帯無線端末は、前記判断結果を表示する表示部をさらに具備することを特徴とする請求項１記載の携帯無線端末。
【請求項３】
前記通信制御部は、さらに、前記暗号化機能の種類によって前記セキュリティの高さを判断することを特徴とする請求項２記載の携帯無線端末。
【発明の詳細な説明】
【技術分野】
【０００１】
この発明は、例えば無線ＬＡＮ（Local Area Network）と接続する機能を有する携帯無線端末に関する。
【背景技術】
【０００２】
近年、無線ＬＡＮと接続する機能を有する携帯無線端末が提案されている（例えば、特許文献１参照）。この種の携帯無線端末は、複数のアクセスポイントを登録する機能と、登録されたアクセスポイントに対する自動／手動接続を設定する機能を有する。このとき、自動／手動接続の設定は、登録されている全てのアクセスポイントに対して一律に行われる。例えば、携帯無線端末は、自動接続が設定されている場合、登録されている全てのアクセスポイントを自動的に検索し、通信接続が可能なアクセスポイントにより通信の待ち受け及び通信接続を行う。また、携帯無線端末は、手動接続が設定されている場合、ユーザが指定したアクセスポイントを検索し、そのアクセスポイントにより通信の待ち受け及び通信接続を行う。
【先行技術文献】
【特許文献】
【０００３】
【特許文献１】特開２００９−１７５７５号公報
【発明の概要】
【発明が解決しようとする課題】
【０００４】
以上のように、従来の携帯無線端末では、自動接続を設定している場合、検索したアクセスポイントのセキュリティが低い場合であっても、そのアクセスポイントを使用して情報を扱ってしまうという問題がある。
【０００５】
この発明は上記事情によりなされたもので、その目的は、自動接続を設定している場合であっても、セキュリティの低いアクセスポイントを除外して無線通信を行うことが可能な携帯無線端末を提供することにある。
【課題を解決するための手段】
【０００６】
上記目的を達成するため、本発明に係る携帯無線端末は、複数のアクセスポイントと接続可能な携帯無線端末において、前記複数のアクセスポイントのうちいずれかのアクセスポイントに対する登録指示と、前記登録されたアクセスポイントと自動的に通信接続することを許可するか否かを前記アクセスポイント毎に設定する設定指示とを受信する指示受信部と、前記登録指示があったアクセスポイントに関する個別情報と、前記設定指示により設定された前記アクセスポイント毎の許可／不許可に関する設定情報とを記憶する記憶部と、前記個別情報及び前記設定情報を参照し、前記登録されたアクセスポイントのうち前記自動接続が許可された自動接続アクセスポイントを定期的に検索するように検索指示を生成する通信制御部と、前記検索指示に応じて前記自動接続アクセスポイントを検索する無線通信部とを具備する。
【発明の効果】
【０００７】
この発明によれば、自動接続を設定している場合であっても、セキュリティの低いアクセスポイントを除外して無線通信を行うことが可能な携帯無線端末を提供することができる。
【図面の簡単な説明】
【０００８】
【図１】本発明の一実施形態に係る携帯無線端末の周囲に複数のアクセスポイントが存在する際の構成を示す図である。
【図２】図１の携帯無線端末の機能構成を示すブロック図である。
【図３】図２の記憶部が記憶する管理テーブルの一例を示す模式図である。
【図４】図３に示す管理テーブルのその他の例を示す図である。
【発明を実施するための形態】
【０００９】
以下、図面を参照しながら本発明に係る携帯無線端末の実施の形態について詳細に説明する。
【００１０】
図１は、本発明の一実施形態に係る携帯無線端末１０の周囲にアクセスポイントＡＰ１〜ＡＰ４が存在する際の構成を示す模式図である。図１では、アクセスポイントＡＰ１〜ＡＰ４がホットスポットを形成する。アクセスポイントＡＰ１〜ＡＰ４は、例えば、無線ＬＡＮの一種であるＩＥＥＥ８０２．１１ａ、１１ｂ、１１ｇ等により規定される方式に準拠した無線信号を送受信する。
【００１１】
図２は、本発明の一実施形態に係る携帯無線端末１０の機能構成を示すブロック図である。図２において、携帯無線端末１０は、無線通信部１１、制御部１２、記憶部１３、表示部１４、入力部１５、マイク１６及びスピーカ１７を具備する。
【００１２】
無線通信部１１は、制御部１２からのベースバンド信号を、ＩＥＥＥ８０２．１１ａ、１１ｂ、１１ｇ等により規定される符号化方式により符号化する。そして、無線通信部１１は、符号化した信号に対してアップコンバート及び増幅を行い、外部へ送信する。
【００１３】
また、無線通信部１１は、外部から無線信号を受信し、この無線信号に対して増幅及びダウンコンバートを行う。そして、無線通信部１１は、この信号を前述の符号化方式に基づいて復号化してベースバンド信号を生成し、制御部１２へ出力する。
【００１４】
入力部１５は、テンキーやファンクションキー等を備え、ユーザの操作内容を入力するために用いられるインタフェースである。ユーザは、入力部１５を操作することで、携帯無線端末１０にアクセスポイントを登録する。また、ユーザは、登録したアクセスポイントに対して自動接続であるか、手動接続であるかを設定する。このとき、ユーザは、登録したアクセスポイントそれぞれに対して自動接続を許可するか否かを設定することが可能である。
【００１５】
記憶部１３は、携帯無線端末１０がアクセスポイントＡＰ１〜ＡＰ４のいずれかと無線通信を行うための各種情報を記憶する。ここで、各種情報とは、登録されたアクセスポイントの識別番号、登録されたアクセスポイントの暗号化機能と対応した暗号情報及び自動接続の可／不可等の情報のことである。ここで、アクセスポイントの暗号化機能とは、例えば、ＷＥＰ（Wired Equivalent Privacy）、ＴＫＩＰ（Temporal Key Integrity Protocol）及びＷＰＡ（Wi-Fi Protected Access）等である。
【００１６】
また、記憶部１３は、上述の各種情報を管理するための管理テーブルを記憶する。図３は、本発明の一実施形態に係る記憶部１３が記憶する管理テーブルの一例を示す模式図である。図３においては、アクセスポイントＡＰ１〜ＡＰ４が登録されており、アクセスポイントＡＰ１は自動接続「可」に設定され、アクセスポイントＡＰ２は自動接続「不可」に設定され、アクセスポイントＡＰ３は自動接続「可」に設定され、アクセスポイントＡＰ４は自動接続「不可」に設定されている。
【００１７】
表示部１４は、記憶部１３で記憶される管理テーブルを表示する。また、表示部１４は、制御部１２を介して受け取った画像を表示する。また、表示部１４は、制御部１２を介して受け取った操作内容（入力電話番号やアドレス等）を表示する。
【００１８】
マイク１６は、音声を集音し、集音された音声に基づいた音声データを制御部１２へ出力する。スピーカ１７は、制御部１２から取得した音声データに基づいて音声を出力する。
【００１９】
制御部１２は、例えばマイクロプロセッサからなるＣＰＵ（Central Processing Unit）を備えたもので、無線端末１０が具備する各種機能を制御する。また、制御部１２は、入力部１５から入力された各種情報を記憶部１３に記憶させる。この各種情報に基づいて、記憶部１３に記憶された管理テーブルが更新される。
【００２０】
例えば、制御部１２は、入力部１５からの指示により登録されたアクセスポイントを記憶部１３に記憶させる。すると、管理テーブルには、この新たに登録されたアクセスポイントが追加される。また、制御部１２は、入力部１５からの指示により設定された自動接続の可／不可の情報を記憶部１３に記憶させる。すると、管理テーブルは、この可／不可の情報に基づいて更新される。
【００２１】
また、制御部１２は、記憶部１３に記憶された各種情報を参照して、アクセスポイントのセキュリティ状態を判断する。すなわち、制御部１２は、登録したアクセスポイントについての暗号化機能の有無、暗号化機能の種類及び暗号情報の長さ等からアクセスポイントのセキュリティ状態を判断する。制御部１２は、このセキュリティ状態を表示部１４に表示する。ユーザは、このセキュリティ状態を参照し、自動接続を許可するか否かを設定する。図４は、自動接続の可／不可と共に、セキュリティ状態を管理するための管理テーブルの一例を示す図である。図４において、二重円はセキュリティ状態が良好なことを示し、一重円はセキュリティ状態が通常なことを示し、×印はセキュリティ状態が不良であることを示す。
【００２２】
また、制御部１２は、記憶部１３を参照し、自動接続が設定されたアクセスポイントについてのみ定期的に検索を行うように、無線通信部１１に対して指示を出す。そして、制御部１２は、アクセスポイントが発見された場合は、無線通信部１１に対してそのアクセスポイントにより、通信の待ち受け及び通信接続を行うように指示を出す。なお、制御部１２は、手動接続が設定されている場合は、手動接続が設定されたアクセスポイントに対して検索を行うように、無線通信部１１に対して指示を出す。そして、制御部１２は、アクセスポイントが発見された場合は、無線通信部１１に対してそのアクセスポイントにより、通信の待ち受け及び通信接続を行うように指示を出す。
【００２３】
以上のように、上記一実施形態では、登録されたアクセスポイント毎に自動接続の可／不可の設定を行い、この設定情報を記憶部１３へ記憶する。そして、制御部１２は、記憶部１３に記憶された設定情報を参照して、自動接続「可」と設定されたアクセスポイントのみについて自動的に検索を行うようにしている。これにより、ユーザの希望に従って、自動接続となるアクセスポイントを選択することが可能となる。
【００２４】
したがって、本発明に係る携帯無線端末によれば、自動接続を設定している場合であっても、セキュリティの低いアクセスポイントを除外して無線通信を行うことができる。
【００２５】
なお、この発明は上記一実施形態に限定されるものではない。例えば、上記実施形態では、ユーザが、制御部１２により判断されたセキュリティ状態を参照して、アクセスポイントに対する自動接続を許可するか否かを設定する例について説明した。しかしながら、本実施形態では、登録されたアクセスポイントの暗号化機能の有無等を参照し、ユーザ自身が、アクセスポイント毎に自動接続の可／不可を設定する場合であっても構わない。
【００２６】
また、本実施形態では、携帯無線端末１０が、無線ＬＡＮの規格に対応した無線通信部１１のみを具備する例について説明したが、これに限定される訳ではない。例えば、携帯無線端末１０は、ＣＤＭＡ２０００  １ｘＥＶ−ＤＯ等の規格に対応したＥＶ−ＤＯ通信部をさらに具備している場合であっても同様に実施可能である。
【００２７】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００２８】
１０…携帯無線端末
１１…無線通信部
１２…制御部
１３…記憶部
１４…表示部
１５…入力部
１６…マイク
１７…スピーカ
ＡＰ１〜ＡＰ４…アクセスポイント
【図１】
2011166600.tif 000003
【図２】
2011166600.tif 000004
【図３】
2011166600.tif 000005
【図４】
2011166600.tif 000006